(57)【要約】【課題】板状のパネルにコインを収納したタイプの貯金箱や飾り物類は現在ほとんど見られない。それは、パネル正面側のデザイン等に問題がある為であり、その解決を図った。【解決手段】コインの出し入れをパネルの裏面側から行う様にした結果、パネル正面側の開口部を狭く出来、その上その正面開口部形状が多様に変化可能となり、パネル正面のデザイン性が極めて向上し、上記課題を解決。コインの直径以上の大きさのコイン収納用コイン穴６を穿った厚紙製の保持体２の正面側に、図案等を印刷した正面カバー３を貼り、裏面には貼り剥がし出来る粘着剤付きシートを押え部４として付着しパネル１を形成。正面カバー３に設けた正面開口部５ａを小さく且つ種々の形状としたので、大変見栄え良くなった。裏面開口部５ｂの大きさはコイン穴６と同じとし、硬貨の出し入れはそこから都度押え部４を脱着して行う。【選択図】    図１
2004230155.tif 000002
【特許請求の範囲】
【請求項１】
コインの厚さ以上の厚みを有する板状のパネルであって且つ該コインを収納するためのコイン穴を有するパネルにおいて、該コイン穴のパネル正面側開口部の大きさは該コインの正面側の大きさより小さく、該コイン穴のパネル裏面側開口部の大きさは該コインの大きさより大きくし、且つ該裏面側開口部には該コインの脱落防止用の押え部を設ける事を特徴としたパネルタイプの貯金箱や飾り物。
【請求項２】
脱落防止用の押え部において、コイン出し入れ用の切除部を裏面側開口部面に該押え部に隣接し設けると共に、該切除部の該コイン出し入れを行う出し入れ部位の長さＬを該コインの直径以上とし、該押え部が該コインを覆う押え幅Ｗを該コインの直径の三分の１以上となる様に設ける事を特徴とした請求項１に記載のパネルタイプの貯金箱や飾り物。
【請求項３】
パネルに収納のコインとして、パネルタイプの貯金箱や飾り物の製作或いは贈呈等の節目に当る年に製作或いは発行されたコインを収納させる事を特徴とした請求項１及び２に記載のパネルタイプの貯金箱や飾り物。
【発明の詳細な説明】
【発明の詳細な説明】
【技術分野】
【０００１】  本発明は、硬貨や記念発行コイン等のコイン類を少なくともコインの厚さ以上の厚みの板状タイプのパネルに収納させ、且つその正面部分を見栄え良くデザインし、貯金箱や飾り物等として使用するパネルタイプの貯金箱や飾り物に関するものである。
【背景技術】
【０００２】  コインの厚さ以上の厚みの板状タイプのパネルにコインを収納させたものとしては、例えば造幣局等で発行の新規発行硬貨や記念コイン等を入れたコインケースなどがあるが、いづれも正面側の開口部がコインの大きさより大きく、コインの出し入れをここから行うものである。【０００３】  また、パネルタイプの貯金箱なども提案されている。例えば、「公開実用  昭５８−６５９１７」や「公開実用  昭６２−１９７９２６」などである。しかし、これらもやはり正面側の開口部がコインの大きさであり、コインの出し入れをここから行うタイプである。
【発明が解決しようとする課題】
【０００４】  コインを収納する場合、コインの厚さ以上の厚みの板状のパネルに収納すれば、コインは種類別に区分した状態で収納でき、またどのコインがどこにあるかも容易に判別でき出し入れも簡単であるので、貯金箱として使い易い。しかも板状のパネルタイプで薄型なので、掛け物とか置物等の飾り物としても使い易い。しかし、コインを収納したパネルタイプの貯金箱とか飾り物類は現在ほとんど見られない。それは、パネル正面側のデザインや印象等に問題がある為と考えられる。
【０００５】  たしかにコインひとつひとつはそれなりにデザインされてはいるが、やはり種類は限られている上に金属であるので、そのコインを単に並べて正面側の模様を形成した場合、コイン模様の影響が強くデザインの単調化は避け難く、コイン集めを趣味としている人用としては別として、記念用や贈り物用の貯金箱や飾り物としてはそのままでは一般に不向きである。また、飾り物等として正面側にそれなりのデザインを施した場合、コインと同じ大きさの穴を正面側に多数開けそこからコインを出し入れするタイプでは、デザインの単調化に加え、コインの出し入れにより穴の周辺が傷つき見栄えの低下を招くという問題もある。さらには、パネル表面側にコインの大きさの穴をズバリと開け、そこからコインがまる見えの状態という事は、コインとして現在流通している硬貨を使用した時など、贈り物としては場合によっては礼を失する恐れもあり使い難いものである。
【０００６】  したがって、コイン入りのパネルは、それがかなり価値あるコイン類である場合以外は、マニアの人とか子供とかを除き、贈り物としてもあまり喜ばれないし、また貯金箱や飾り物としてもあまり使われていない。そこで、本発明は、コインを保持したパネルにおける上述の課題を解決し、想い出として残しておきたくなる様な記念用の、或いは貰って喜ばれる贈り物用のパネルタイプの貯金箱や飾り物を提供する事を狙いとするものである。
【課題を解決するための手段】
【０００７】  本発明は、上記課題解決を、コインの厚さ以上の厚みを有する板状のパネルであって且つ該コインを収納するためのコイン穴を有するパネルにおいて、該コイン穴のパネル正面側開口部の大きさは該コインの正面側の大きさより小さく、該コイン穴のパネル裏面側開口部の大きさは該コインの大きさより大きくし、且つ該裏面側開口部には該コインの脱落防止用の押え部を設ける事により解決した。
【０００８】  即ち、コインの出し入れをパネルの裏面側から行う様にすれば、コイン穴のパネル正面側開口部の大きさをコインの大きさより小さく出来、コインが正面側から丸見えにならず、パネル表面側のデザインの単調化とコイン丸見えによる成金的なデザイン感が避けられる事、さらには丸見えでないコインであればいろいろの表面デザインの中にうまく調和した形状で配置できる事等を見出し課題解決に至った。
【０００９】  しかも、コインをズバリの丸見えでなく小さい開口部からのコインならではのデザインとして組み込めば、今まであまり注目されなかったパネルまで大変引き立つ様になる事も判った。また、コインの出し入れを表面側から行わなくなったので、表面側のデザインを傷つけたりするトラブルもなくなった。
【００１０】  さらに、請求項２に記載の方法、即ち、脱落防止用の押え部において、コイン出し入れ用の切除部を裏面側開口部面に該押え部に隣接し設けると共に、該切除部の該コイン出し入れを行う出し入れ部位の長さＬを該コインの直径以上とし、該押え部が該コインを覆う押え幅Ｗを該コインの直径の三分の１以上となる様に設ける事により解決した。
【００１１】  本発明ではコイン穴の裏面開口部の大きさをコインの大きさ以上とするため、そこからコインが不用意に脱落しない為の押え部が必要である。その方法としては、シート状物やシール等で開口部を全体的に覆うとか開口部に栓状物を差し込むとかの周知方法があるが、これらはコイン出し入れの都度押え部を脱着する必要があり大変煩雑である。そのため、コイン出し入れの都度脱着の必要がなくコインを安定的に保持できる方法につき種々検討の結果、上述の請求項２の方法を発明するに至った。
【００１２】  さらには、パネルに収納のコインとして、パネルタイプの貯金箱や飾り物の製作或いは贈呈等の節目に当る年に製作或いは発行されたコインを収納させる事により解決した。即ち、組み込むコインとして、記念等になる節目の年に製造や発行されたコインを使用しておけば後日の良い想い出となり、コイン入りならではの特徴を出す事が出来るものである。
以下、実施例にもとづき本発明をさらに説明する。
【実施例１】
【００１３】  本実施例は、正面側に花、太陽、風船をデザインし、コインとして５００円、１００円、１０円硬貨を使用したパネルである。図１の（イ）にその正面（表面）図を、（ロ）に右側面図を、（ハ）に平面図を、（ニ）に背面（裏面）図を、（ホ）にＸ１−Ｘ２断面図を示す。【００１４】  パネル１は、コイン８の保持体２と正面カバー３と押え部４とから成る。保持体２の材料としては約２ｍｍ厚さの厚紙を使用し、それに、図１に示す様に、コインを収納するためのコイン穴６を１１個穿ち、その正面側を正面カバー３で、裏面側を押え部４で覆い、コインをコイン穴６に収納保持する構造を形成した。なお、本実施例ではコイン穴６にコインは入れていない。【００１５】  保持体２には、正面カバー３のデザインを考慮しながらそのデザインに調和した位置にコイン穴６を１１個穿った。本実施例は、その各コイン穴６にコインを１個づつ収納する例である。したがって、保持体２の厚さとしては５００円硬貨１枚相当分の約２ｍｍとした。各硬貨の位置は、図１の（イ）で、５００円硬貨は「太陽」と右端の「ひまわりの花」に、１００円硬貨は左側の「ひまわりの花」に、その他には１０円硬貨をそれぞれ１枚づつ、合計１１枚を収納させた。コイン穴６への収納枚数を複数枚とする時は、その枚数に応じ保持体２の厚さを増やせばよい。また、どの種類のコインをどこに、どれだけ保持させるかは、パネルの使用目的やデザイン等に対応させて設計する。【００１６】  正面カバー３としては、腰のある印刷用紙を使用し、その表面に、図１に示す様に、花、太陽、風船の絵とそれにマッチした模様（図示省略）を印刷し、そのデザインを考慮しつつ保持体２のコイン穴６に対応させて正面開口部５ａを１３ヶ所に設け、さらに余白部７も設けた。正面開口部５ａの形状としては、円形、多角形、三日月形、ハート形等とした。この様にデザインに合わせいろいろの形状とする事が出来る。だだし、その大きさは、そこに収納されるコインの大きさより小さいものとし、そこにコインが保持され脱落しない様な大きさや形状とする必要がある。裏面開口部５ｂの大きさはコイン穴６の大きさと同じとした。余白部７は、このパネル１に関連した事やメッセージ類を書いたり写真を貼ったリ等に使用するための部分である。【００１７】  押え部４としては硬質プラスチックシートを使用し、貼ったり剥がしたりする事の出来る粘着剤で保持体２の裏面側に付着させた。正面カバー３は接着剤で保持体２の正面側に接着した。硬貨の出し入れは、押え部４を保持体２からその都度剥がしたり貼ったりして行う。なお、押え部４の保持体２への係止は、本実施例の粘着剤法の他にもいろいろあり、例えばクリップや金具類、蝶番、或いは噛合せ、嵌め込み、差込み等の周知法で行う事も出来る。【００１８】  パネル１の構成部材の使用材料としては、コインを保持体２に安定的に収納保持出来るものであればよいので、プラスチックや木、紙、布、金属、セラミック、これらの組合せ物、或いはこれらを主材とした複合材料等が使用できるが、構成部の機能を勘案した場合、保持体２としてはプラスチックや木、厚紙、複合材料等が、正面カバー３や押え部４としてはプラスチックや紙、複合材料等が適している。【００１９】  また、本実施例では保持体２、正面カバー３、押え部４とを付着しパネル１を形成したが、この様に３つの構成部分を別々に作り後で一体化し形成する方法の他に、例えば一枚の板状物にコイン穴６と開口部５とを一体的に穿ったり、或いはプラスチック類で一体成型したりの方法で形成する事も出来る。【００２０】  単に絵を描いただけのパネルとか千円位の小遣いでは、今は子供達もあまり喜ばないが、本実施例の様なパネルであれば小遣い付きで見栄えも良くメッセージ等も書かれてあり、子供達以外からも喜んでもらえるものである。これも、正面開口部５ａの大きさや形状を工夫した効果である。またパネルはこのままで壁等に立て掛けたりピンで留めたりも出来るが、額に入れて吊り紐や支柱等を付けてもよく、いずれも壁掛けや置物等の飾り物さらには貯金箱、或いはデザイン面を工夫すればお土産品、記念品、贈り物等としても喜ばれるものである。
【実施例２】
【００２１】  本実施例は招き猫を正面に描いた縁起物の貯金箱兼飾り物で、裏面の押え部を請求項２に記載の方法で実施した例である。図２の（イ）にその正面（表面）図を、（ロ）に右側面図を、（ハ）に平面図を、（ニ）に背面（裏面）図を、（ホ）にＹ１−Ｙ２断面図を、（ヘ）に背面図の左端最下段のコイン穴６周りの拡大図を示す。【００２２】  パネル１は、図２に示す様に、保持体２の正面側を正面カバー３で、さらにその上をガラスカバー１１で、背面側を押え部４でカバーしたもので、それらを額縁１０に入れた後ストッパー９にて押え固定した構造のものである。【００２３】  保持体２の材料としては発泡プラスチックを使用し、それにコイン８を収納する為のコイン穴６を貫通させた。本実施例は１つのコイン穴６にコイン８を３枚重ねて収納させるタイプとしたので、保持体２の厚みとしてはコイン８の厚みの３倍とした。コイン穴６としては５００円硬貨より少し大きい直径の円形状の穴を、縦に５列、横に４列、規則正しく合計２０ヶ所に設けた。【００２４】  正面カバー３には紙を使用し、図２の様に、縁起物の猫をベースにしたデザインを行い、コイン穴６に入れるコイン８の大きさより小さい円形状の正面開口部５ａを７ヶ所に設け保持体２に接着した。正面開口部５ａの位置は保持体２に収納されているコイン８に対応させて開け、そこからコイン８が見えるように設けた。コイン８としては５００円硬貨８ａ３枚と５円硬貨８ｂ４枚の計７枚を使用し、図２の（ニ）に示す様に、正面開口部５ａと対応している位置のコイン穴６に入れた。残りの１３ヶ所はコインを順次入れて貯金していく為のスペースとした。さらに、この正面カバー３の表面は保護のためガラスカバー１１で覆った。【００２５】  押え部４としては、保持体２と同じ広さの硬質プラスチックのシート１３を使用し、これを保持体２の裏面側に接着固定する。単なるシートであればこのままではコイン穴６へのコイン８の出し入れが出来なくなるので、シート１３にはコイン８の出し入れの為の部分が必要である。このため、図２の（ニ）に示す様に、シート１３から各コイン穴６の上半分に相当する部分を切除して切除部１２を形成し、ここからコイン８の出し入れが出来る様にした。図２の（ニ）の切除部１２は、２０ヶ所のコイン穴６に効率的に対応する為に帯状に切除したものであるので、そのうちの１ヶのコイン穴６について図２の（ヘ）で説明する。【００２６】  図２の（ヘ）に示す様に、コイン穴６の上半分が切除部１２の中にセットされる様に、即ちシート１３の切除されていない部分が押え部４となりその部分でコイン穴６の下半分を覆うようにセットし接着固定する。この様にすれば、コイン穴６の上半分はシートで覆われる事なく開放状態となり、一方、下半分は押え部４で覆われた状態となるので、コイン８は押え部４をその都度脱着しなくとも切除部１２から容易にコイン穴６へ出し入れ出来、またコイン穴６に挿入されたコイン８はそこに安定保持される。【００２７】  コイン穴６が多数あり、しかもそれらが規則正しく配列している場合、帯状の切除部１２をその規則性に合わせ形成しておけば、例えば本実施例ではコイン穴６が横に４列規則的に並んだ状態なので、それに合わせ���４本の横帯状の切除部１２を形成しておけば、図２の（ニ）に示す様に、コイン穴６の上半分が開放状態となるようにセット出来る。なお、各コイン穴６ひとつひとつに対応させて切除部１２を設ける事も出来るが、上記のように規則性がある場合はその規則性を利用した方が効率的である。【００２８】  以上の構成の保持体２、正面カバー３、ガラスカバー１１、押え部４を木製の額縁１０に嵌め込みストッパー９で裏面側から留めて固定すれば、本実施例のパネル１が形成される。正面側に招き猫が描かれ、コイン８を６０個収納でき、その内の７個が正面側から見えるようにデザインされており、大変見栄え良くしかも縁起物でもあるので、今までにない貯金箱兼飾り物として喜ばれるものである。
また、コイン８の出し入れは、実施例１と異なりその都度押え部４を着脱し行う必要がなく大変使い易い。
【実施例３】
【００２９】  本実施例は赤ちゃん誕生記念用のもので、コイン８として誕生した年に製作された５００円硬貨を使用した例である。図３にその正面図を示す。
図３に示す様に、赤ちゃんの写真を中央に配置し、２ヶ所に余白部７を設け、赤ちゃんの写真の下に正面開口部５ａを５ヶ所設け、そこには赤ちゃんが誕生した年に製造された５００円硬貨８ａを収納させておき、一層喜ばれる記念用のパネルとなるようにした。パネル１のその他の構成等は実施例２と同様である。【００３０】  本パネルも額縁に吊り紐や支柱等を付ければ壁掛けやスタンド式の飾り物として好適となるものである。また、５００円硬貨８ａは正面開口部５ａが設けられた所のコイン穴６のみに入れておき、他のコイン穴６へはその後順次入れていけば、貯金箱としても大変楽しみのあるものである。
【実施例４】
【００３１】  本実施例は請求項２に記載の押え部４に関する実施例で、実施例２に記載の例と異なる主な点は、コイン穴６が円形でなく四角形である点と押え部４がコイン穴６の下方部分でなく中央部分を覆う構造となっている点である。図４に、その押え部４でコイン穴６の中のコイン８を覆ったパネル１の背面（裏面）図を示す。【００３２】  図４に示す様に、パネル１を構成する保持体２にコイン穴６を設けそこにコイン８を収納し、その上を押え部４で覆うものであるが、コイン穴６としてはその一辺の長さＬがコイン８の直径より大きい正方形の穴を穿ち、その上を硬質プラスチックのシート１３に形成した押え部４で押さえコイン８の脱落を防止するものである。【００３３】  押え部４の形成は、図４に示す様に、まずシート１３がコイン穴６を覆う部分に対応する部位から、コイン穴６より大きい正方形の部分を切除部１２として切り取る。その際、切除部１２の中央部分は押え部４として図の様に残す。その押え部４としては、その押え幅Ｗがコイン８の直径の十二分の５に相当する幅の帯状形に形成し残し、その両端部分即ち右側部分と左側部分のみを切り取りそこが開放状態の切除部１２ａと１２ｂとなるように形成する。この様にして形成の押え部４では、コイン８を出し入れする為の出し入れ部位の長さＬとしてコインの直径以上の長さが確保されており、そこから右側切除部１２ａ或いは左側切除部１２ｂのいずれかを利用し横方向へコイン８の出し入れを行う。【００３４】  なお、本実施例からも分かる様に、コイン穴６等の形状は円形だけに限定されず本実施例も含めたいろいろな形が考えられるが、コインの出し入れや保持等の機能面を考えた場合円形状や多角形状が適している。また、押え部４については、コイン８の出し入れの都度押え部４を脱着する必要のない方法について種々検討の結果、コイン８の出し入れの容易さ及び安定収納保持の為には、切除部１２はコイン穴６の裏面開口部５ｂの面に押え部４に隣接させ設ける事が必要で、且つ、コイン８の出し入れを行う出し入れ部位の長さＬとしてはそこに収納するコイン８の直径以上が、コイン８を覆う押え部４の押え幅Ｗとしてはコイン８の直径の三分の１以上が、少なくとも必要である事を見出した。
【発明の効果】
【００３５】  コイン収納保持用の板状パネルにおいて、コインの出し入れを裏面開口部側から行うようにし、コイン穴の正面開口部の大きさをコイン直径より小さくした結果、さらには収納保持コインの種類や開口部形状の工夫を行なった結果、次のような効果が得られた。
【００３６】（イ）正面開口部を小さくしたのでコインが正面側から丸見えにならなくなった為、コイン正面のデザインが単調化しなくなると共に、コイン丸見えによる成金的デザイン感も避けられる様になった。
（ロ）コインをズバリと丸見えさせるのではなくコインならではのデザインを覗かせる様に調和組み込む事が出来るようになった結果、図柄や写真、言葉だけでは今まであまり目立たなかったパネルも注目を浴びるようになった。
（ハ）コインの出し入れは裏面側から行うので表面側のコイン穴の周辺を損なう事がなくなり、パネル表面側のデザインが汚れたり傷ついたりしなくなり、パネルの美観性を保つ事が出来るようになった。
（ニ）現在流通している硬貨を使用した場合など、贈り物としては礼を失する心配もあったが、コインと表面デザインとを目的に合わせうまく調和させ仕上げる事が出来る様になったので、贈り物等として安心して使える様になった。
（ホ）パネルに収納のコインとして、記念や想い出となる節目の年に製造や発行されたものを収納しておけば、コイン入りならではの特徴を出したパネルが得られ、贈り物、飾り物等として大変喜ばれる様になった。
（ヘ）コインの出し入れ用の裏面開口部にはコイン脱落防止用の押え部を設けるが、ここに開放状態の切除部を設ける工夫を行なった結果、コイン出し入れ時に都度押え部を脱着する必要がなくなり、コインの出し入れが大変やり易くなった。
（ト）単なるコイン入りのパネルタイプ貯金箱、或いは単なる絵や写真、言葉等のパネルでは、かなり価値あるものを除き、マニアの人とか子供等とか以外にはあまり喜ばれなかったが、以上の様にコインと絵、写真、言葉等とを調和させ見栄え良くデザインし且つ使い易くしたコイン入りパネルが形成出来る様になったので、想い出や記念、贈り物用等の貯金箱や飾り物などとして幅広い人達に喜んでもらえるようになった。
【図面の簡単な説明】
【図１】草花等の自然の風物類をデザインした貯金箱兼飾り物の実施例を示す。
【図２】縁起物の招き猫をデザインした貯金箱兼飾り物の実施例を示す。
【図３】赤ちゃん誕生年の硬貨を収納保持の貯金箱兼飾り物の実施例を示す。
【図４】裏面からのコイン脱落防止用押え部の実施例を示す。
【符号の説明】
１、パネル
２、保持体
３、正面カバー
４、押え部
５、開口部（５ａ；正面開口部、５ｂ；裏面開口部）
６、コイン穴
７、余白部
８、コイン（８ａ；５００円硬貨、８ｂ；５円硬貨）
９、ストッパー
１０、額縁
１１、ガラスカバー
１２、切除部（１２ａ；右側切除部、１２ｂ；左側切除部）
１３、シート
Ｌ、出し入れ部位の長さ
Ｗ、押え幅
【図１】
2004230155.tif 000003
【図２】
2004230155.tif 000004
【図３】
2004230155.tif 000005
【図４】
2004230155.tif 000006